(57)【要約】【課題】ペットである犬の排尿により生じる環境の悪化を抑止する。【解決手段】外部から水道水を流入管１３を通じてベース部９内に流し込み、水道水はベース部９に連結された制御部８へ延びる流入管１３を流れ、制御部８内のオゾン水生成装置１７によりオゾン水に生成され、制御部８から噴出口支持部７へ続く流入管１２をオゾン水が流れ、噴出口支持部７の噴出口１２ａよりオゾン水が噴出し、噴出したオゾン水は噴出口支持部７と対向するように設けられた笠部６の凹部６３に当たり、オゾン水は笠部６の凹部６３内を流れ、噴出口支持部７の円柱部７２に流れ出て、噴出口支持部７の円柱部７２からベース部９を洗い流すマーキングポスト１を提供する。【選択図】  図１
2008212095.tif 000002
【特許請求の範囲】
【請求項１】
地面に対して直立して配置できるように平板が取り付けられたベース部と、該ベース部と連結され、流体を流すための流入管と、該流入管を流れる前記流体を流したり、止めたりするための弁と、を内蔵する制御部と、該制御部と連結され、前記制御部より延びる前記流入管を内蔵し、前記流入管を流れる前記流体を噴出させるための噴出口を有する噴出口支持部と、を有する本体部と、
前記本体部と対向し、前記噴出口支持部の前記噴出口から噴出された前記流体を受けられるように設けられた笠部を有する受部と、を備えることを特徴とするマーキングポスト。
【請求項２】
前記制御部の、前記流体の一つである水道水を流すための前記流入管には、オゾン水生成装置が設けられ、該オゾン水生成装置で前記流入管を流れる前記水道水からオゾン水を生成し、前記流入管により前記噴出口支持部へ前記オゾン水を流すことが可能であることを特徴とする請求項１に記載のマーキングポスト。
【請求項３】
前記噴出口支持部の、前記制御部側の端部と反対側の端部は、傾斜面を有する凸状部をなし、前記傾斜面を有する前記凸状部には前記制御部から延びる前記流入管を流れる前記流体を噴出するための噴出口が設けられていることを特徴とする請求項１又は２に記載のマーキングポスト。
【請求項４】
前記笠部の、前記噴出口支持部の前記傾斜面を有する前記凸状部に対向する端部は、前記噴出口支持部から噴出された前記流体を受けられるように、凹部が形成され、該凹部には前記噴出口支持部の前記傾斜面を有する前記凸状部が入り込むことが可能であることを特徴する請求項１乃至３のいずれかに記載のマーキングポスト。
【請求項５】
前記受部と前記本体部との連結は、前記受部と前記本体部との間に連結用ステムを設け、該連結用ステムを前記受部の笠部と前記本体部の前記噴出口支持部とに固定することで行うことを特徴とする請求項１乃至４のいずれかに記載のマーキングポスト。
【請求項６】
前記受部と前記本体部とが連結されると前記笠部の、前記噴出口支持部に対向する端部は、前記噴出口支持部の前記傾斜面を有する前記凸状部に連続する円柱部へ延びるとともに、該円柱部に対して斜め方向へ突出し、前記円柱部の外周を囲むことを特徴とする請求項１乃至５のいずれかに記載のマーキングポスト。
【請求項７】
前記受部の、前記噴出口支持部に対向する端部の反対側の端部には、照明灯が連結されていることを特徴とする請求項１乃至６のいずれかに記載のマーキングポスト。
【請求項８】
前記制御部内の、前記流入管を流れる前記流体を流したり、止めたりするための前記弁の少なくとも一つからは、前記流入管を流れる前記流体を外部へ送るための流出管が延びていることを特徴とする請求項１乃至７のいずれかに記載のマーキングポスト。
【発明の詳細な説明】
【技術分野】
【０００１】
本発明は、ペットである犬のマーキングである排尿の悪臭等から人の生活環境を守るためのトイレ用支柱であるマーキングポストに関する。
【背景技術】
【０００２】
従来のペット用トイレに関しては、図７に示す構成が開示されている。図７では、ペット用トイレのトイレ本体の内部に突起形状を形成する。さらには吸収シートを敷いて周囲を略固定する。突起形状部は一体成形あるいは分割式とし分割式の場合は本体と突起形状部の間に吸収シートを挟み込む事も可能となる。雄犬を例にあげれば、犬にとって突起形状部は習性に起因するマーキング行動の対象物と認識される。これにより自然と脚上げ排尿を促される事となる。突起形状部には尿臭が残りこれにより犬は排尿場所を認識し、習慣化される。また、本発明は雄犬の場合を想定して突起形状としているが雌犬においても排泄場所の認識を容易にする助けとなる（特許文献１）。
【特許文献１】特開２００６−８１５２８（段落０００６、０００９  図１）
【発明の開示】
【発明が解決しようとする課題】
【０００３】
しかしながら、最近、犬等を含めたペットを飼う人が増え、そのような人達がペットを連れて散歩に出かけると、散歩先である公園等で排尿等を済ませることが多い。そのため、排尿等による悪臭が公園等内に立ちこめ、公園等内の環境の悪化を招いている。そのため、公園等で遊ぶ子供にとって遊ぶ環境が悪化されるという影響を与えることになる。また、特に、この散歩先の公園等はペットを飼う人達の住宅の近隣に位置していることが多く、その悪臭が住宅まで漂い、悪臭によってペットを飼う人だけではなくペットを飼わない人の生活環境をも破壊する危険性がある。また、犬等を含めたペットの排泄が樹木等に対して行われると樹木を枯らす原因となり、そのことも公園等の環境を悪化させる一因となっている。
【０００４】
そのために、ペットを飼う人がペットを連れて散歩する公園等に図７に示すペット用トイレが設置してあると、ペットである犬等がこのペット用トイレに近づき、特に雄犬はその突状形状に向かってマーキング等のための排尿することになる。図７に示すペット用トイレは、トイレ本体１の内部に突状形状が形成されており、雄犬が本来持っている習性である脚上げ排尿を容易に促すということでは、例えば公園等に設置することでペットである犬等の排尿等を行う場所を特定し易くはなっている。そのため、ペットである犬の排泄行為が公園等内のいたるところで行われるという可能性を減少させる一因となり易い。
【０００５】
しかしながら、図７に示すペット用トイレは単に突状形状を設けたに過ぎず排尿後には、その突状形状に尿が付着したままとなる。そして、付着した尿から悪臭が発生し公園等内に漂うことになる。ペットを飼う人のマナーとして、飼い犬の排泄行為があると排泄物を除去する等の公園等の美化の維持に勤めなければならないところであるが、現状では排泄物の除去等の行為が行われず排泄物が放置されたままという状況が多い。つまり、犬等のペットを飼う人のマナーとしては、飼い犬がペット用トイレの突状形状に排尿を行った場合には、水等を入れた容器、例えばペットボトル等を用いてそのペット用トイレの突状形状に水等を注ぎ突状形状に付着した尿を流して尿から生じる悪臭を発生しないように処置すべきである。ところが飼い犬の排尿後、このような処置を行わず、その場を立ち去ってしまう飼い主が多い。そのため飼い犬の排尿等から生じる悪臭により公園等内の環境を悪化させ易い状況が生まれることになる。
【０００６】
本発明は、上記の事情に鑑みなされたものであり、ペットである犬のマーキングである排尿により生じる環境の悪化を抑止するためのトイレ用支柱であるマーキングポストを提供することを目的とする。
【課題を解決するための手段】
【０００７】
上記の目的を達成するために、請求項１に記載の発明は、地面に対して直立して配置できるように平板が取り付けられたベース部と、該ベース部と連結され、流体を流すための流入管と、該流入管を流れる前記流体を流したり、止めたりするための弁と、を内蔵する制御部と、該制御部と連結され、前記制御部より延びる前記流入管を内蔵し、前記流入管を流れる前記流体を噴出させるための噴出口を有する噴出口支持部と、を有する本体部と、前記本体部と対向し、前記噴出口支持部の前記噴出口から噴出された前記流体を受けられるように設けられた笠部を有する受部と、を備えることを特徴とする。
【０００８】
従って、請求項１に記載の発明によれば、平板により地面に直立して配置することを安定させ、マーキングポストの外部から延びる流入管を、マーキングポストに内蔵し、すなわち、ベース部からベース部に連続する制御部に流入管を内蔵し、流入管に流体が流され（送られ）、閉じていた弁（止水弁）を開き、流体はベース部からベース部に連結する制御部を流れ、閉じていた弁（電磁弁）を開き、制御部に連続する噴出口支持部に内蔵される流入管を流体が流れて噴出口から流体が噴出して、流体は噴出口支持部と対向するように設けられた受部の笠部で受けられ、受けられた流体は笠部から本体部へ流れ、本体部の噴出口支持部の円柱部を流れ、制御部の外周からベース部の外周を流れ、マーキングポストを洗い流すことが可能になる。
【０００９】
また、請求項２に記載の発明は、請求項１に記載の構成に加え、前記制御部の、前記流体の一つである水道水を流すための前記流入管には、オゾン水生成装置が設けられ、該オゾン水生成装置で前記流入管を流れる前記水道水からオゾン水を生成し、前記流入管により前記噴出口支持部へ前記オゾン水を流すことが可能であることを特徴とする。
【００１０】
従って、請求項２に記載の発明によれば、マーキングポストに内蔵された、マーキングポストの外部から延びる、ベース部からベース部に連続する制御部に内蔵された流入管に流体の一つである水道水が流され（送られ）、閉じていた弁（止水弁）を開くと、水道水はオゾン水生成装置内に流れ込み、オゾン水生成装置で流体の一つであるオゾン水が生成され、閉じていた弁（電磁弁）を開き、生成されたオゾン水は制御部に連結する噴出口支持部内の流入管を流れ、噴出口から噴出して、オゾン水は噴出口支持部と対向するように設けられた受部の笠部で受けられ、受けられたオゾン水は笠部から本体部へ流れ、本体部の噴出口支持部の円柱部を流れ、制御部の外周からベース部の外周を流れ、マーキングポストを洗い流し、マーキングポストの除菌、消臭を行うことが可能になる。
【００１１】
さらに、請求項３に記載の発明は、請求項１又は２に記載の構成に加え、前記噴出口支持部の、前記制御部側の端部と反対側の端部は、傾斜面を有する凸状部をなし、前記傾斜面を有する前記凸状部には前記制御部から延びる前記流入管を流れる前記流体を噴出するための噴出口が設けられていることを特徴とする。
【００１２】
従って、請求項３に記載の発明によれば、噴出口支持部の、制御部側の端部と反対側の端部は、傾斜面を有する凸状部をなし、その傾斜面を有する凸状部に噴出口を設けているので、噴出口から噴出した流体であるオゾン水、或いは水道水が受部の笠部に向かって噴出されて、笠部から流れる（流れ落ちる）流体や、或いは笠部まで到達しない流体が傾斜面を有する凸状部を流れることになるため、傾斜面を有する凸状部と連続する円柱部側へ容易に流れ易くすることを可能にする。
【００１３】
また、請求項４に記載の発明は、請求項１乃至３のいずれかに記載の構成に加え、前記笠部の、前記噴出口支持部の前記傾斜面を有する前記凸状部に対向する端部は、前記噴出口支持部から噴出された前記流体を受けられるように、凹部が形成され、該凹部には前記噴出口支持部の前記傾斜面を有する前記凸状部が入り込むことが可能であることを特徴する。
【００１４】
従って、請求項４に記載の発明によれば、笠部の、噴出口支持部の傾斜面を有する凸状部に対向する端部は、凹部が形成され、その凹部には噴出口支持部の傾斜面を有する凸状部の端部が入り込むことが可能であるため、噴出口支持部の噴出口から流体であるオゾン水、或いは水道水が噴出すると笠部の凹部でその流体であるオゾン水、或いは水道水を受けることになり、受けた流体であるオゾン水、或いは水道水は笠部の凹部内を流れ、噴出口支持部の傾斜面を有する凸状部側に流れることが可能になる。
【００１５】
さらに、請求項５に記載の発明は、請求項１乃至４のいずれかに記載の構成に加え、前記受部と前記本体部との連結は、前記受部と前記本体部との間に連結用ステムを設け、該連結用ステムを前記受部の笠部と前記本体部の前記噴出口支持部とに固定することで行うことを特徴とする。
【００１６】
従って、請求項５に記載の発明によれば、笠部と噴出口支持部との連結は、連結用ステムにより、笠部の傾斜面に設けられた連結用ステムの先端を、噴出口支持部の傾斜面に予め設けられた穴部に挿入して、連結用ステムの先端を噴出口支持部の傾斜面の穴部に嵌合させることで可能にすることができ、また、逆に笠部の傾斜面に穴部を設け、噴出口支持部の傾斜面に連結用ステムを設けて、連結用ステムの先端を笠部の傾斜面の穴部に嵌合させるということでも同様に笠部の傾斜面と噴出口支持部の傾斜面との連結を可能にすることができ、さらに、流入管の一方の端部である噴出口に連結用ステムを挿入し、その連結用ステムを笠部の円柱部の円錐凹部の頂点部に設けた穴部へ差し込んで笠部の傾斜面と噴出口支持部の傾斜面との連結を行うことも可能であり、この場合、連結用ステムの外径は流入管の内径より小さく、連結用ステムを流入管の一方の端部である噴出口内に挿入しても流体であるオゾン水、或いは水道水を流入管を流れることが可能であり、また、流入管の一方の端部での連結用ステムの固定は、例えば、ピンで行うことが可能である。
【００１７】
また、請求項６に記載の発明は、請求項１乃至５のいずれかに記載の構成に加え、前記受部と前記本体部とが連結されると前記笠部の、前記噴出口支持部に対向する端部は、前記噴出口支持部の前記傾斜面を有する前記凸状部に連続する円柱部へ延びるとともに、該円柱部に対して斜め方向へ突出し、前記円柱部の外周を囲むことを特徴とする。
【００１８】
従って、請求項６に記載の発明によれば、笠部と噴出口支持部とが連結されると笠部の、噴出口支持部に対向する端部は、噴出口支持部の傾斜面を有する凸状部に連続する円柱部の外周に対して斜め方向へ延びて円柱部の外周を囲むことになり、噴出口支持部の噴出口から噴出した流体であるオゾン水、或いは水道水を笠部の凹部で受け、受けた流体であるオゾン水、或いは水道水は笠部の凹部内から凹部の、噴出口支持部の円柱部の外周に対して斜め方向へ延びる縁側部へ流れて、噴出口支持部の円柱部に衝突し、噴出口支持部の円柱部上を流れることが可能になるとともに、笠部の端部である縁側部が噴出口支持部の円柱部を囲んでいるので笠部の凹部で受けた流体であるオゾン水、或いは水道水が噴出口支持部の傾斜面に当たらないため、流体であるオゾン水、或いは水道水が飛び散り難くなり、噴出口支持部の円柱部上へ流れ易くすることを可能にする。
【００１９】
さらに、請求項７に記載の発明は、請求項１乃至６のいずれかに記載の構成に加え、前記受部の、前記噴出口支持部に対向する端部の反対側の端部には、照明灯が連結されていることを特徴とする。
【００２０】
従って、請求項７に記載の発明によれば、笠部の端部に照明灯が連結されているため、犬を飼う人が夜等に犬を散歩させた場合でも犬をマーキングポストへ導き易くするとともに散歩し易い明るさを確保することを可能にする。
【００２１】
また、請求項８に記載の発明は、請求項１乃至７のいずれかに記載の構成に加え、前記制御部内の、前記流入管を流れる前記流体を流したり、止めたりするための前記弁の少なくとも一つからは、前記流入管を流れる前記流体を外部へ送るための流出管が延びていることを特徴とする。
【００２２】
従って、請求項８に記載の発明によれば、制御部内の、流入管を流れる流体を流したり、止めたりするための前記弁の少なくとも一つ（三方弁）からは、流出管が延びて制御部内の流入管を流れる流体であるオゾン水、或いは水道水を外部である、マーキングポストの外部へ送ることを可能にしている。そのため、マーキングポストの流出管から別の複数のマーキングポストへ流体であるオゾン水、或いは水道水を送ることを可能にする。
【発明の効果】
【００２３】
本発明によれば、受部と本体部との間で流体（水道水、或いはオゾン水）を噴出し、受部の笠部で受けた流体（水道水、或いはオゾン水）を尿が付着したマーキングポストの本体部の外周に流すことで付着した尿をマーキングポストから洗い流し、マーキングポストの除菌、消臭を行うことができる。このように、犬を散歩させる公園等にマーキングポストを配置することで公園等の環境衛生の向上を図ることができる。また、犬のマーキングを含めた排尿をマーキングポストに行わせることで、樹木へのマーキングを含めた排尿を減少させて、公園等内の樹木の保護育成を図ることができる。
【発明を実施するための最良の形態】
【００２４】
以下、本発明を実施するための最良の形態について図面を参照して説明する。
【００２５】
（例１）
図１に本発明であるマーキングポスト１が示してある。図１に示すように、マーキングポスト１は、略円柱形状をなしているが、特に略円柱形状に限定されることなく、例えば四角柱形状のような角柱形状であってもよい。このマーキングポスト１は、受部２と本体部３とから構成されている。そして、本体部３は、図１に示すように、噴出口支持部７、制御部８、及びベース部９により構成されている。このマーキングポスト１は、公園等に配置されることになるが、その際に公園等の地面に接触することになるのがマーキングポスト１のベース部９である。
【００２６】
このマーキングポスト１が公園等の地面に対して直立して配置された状態が安定するようにベース部９の底面には平板９１が設けられている。平板９１の外形は本例では矩形（正方形）形状であるが、特に矩形（正方形）形状に限定されることなく円形形状であってもよい。そして、図１に示すように、マーキングポスト１を安定した状態（倒れたりしない状態）で公園等に配置できるように平板９１はベース部９の外形より大きい形状になっている。ベース部９には、図１に示すように、外部（マーキングポスト１の外部）から延びている流入管１３を内蔵するための孔部９２がベース部９の底面側である平板９１に設けてある。
【００２７】
そして、この孔部９２がベース部９を貫通してベース部９に連結している制御部８まで延びて形成されており、その孔部９２内を流体を流すための流入管１３が通るため、ベース部９に流入管１３を内蔵することになる。本例では、流入管１３をマーキングポスト１近傍で地中に埋設させ、埋設させた流入管１３をベース部９内の孔部９２に通し、ベース部９内に流入管１３を内蔵するようにしている。ただし、必ずしも孔部９２は、ベース部９の底面側である平板９１に設ける必要はなく、ベース部９の側面に設けて制御部８まで延ばして形成し、その孔部９２内に流入管１３を通し、ベース部９に流入管１３を内蔵するということも可能である。
【００２８】
この場合は、流入管１３を地中に埋設させることなく、地上に配置して、流入管１３を直接ベース部９内の孔部９２に内蔵することになる。また、この流入管１３は、ベース部９を経由することなく、制御部８の側面に設けた孔部より通し、マーキングポスト１に内蔵することも可能である。そして、この流入管１３は、基本的には、マーキングポスト１の外部である、マーキングポスト１から離れた水道栓まで延びて、水道栓と接続されている。ただし、この場合も流入管１３が水道栓に接続されることに限定されることなく、例えば、流体である水道水等を蓄えたタンク等に接続することも可能である。
【００２９】
そのため、水道栓を開くことで流体である水道水が流入管１３を流れ、マーキングポスト１のベース部９に流体である水道水が流れ込む。なお、水道栓に接続された流入管１３については、例えば、流入管１３を水道栓に接続した後に、地中に埋設し、埋設した状態で流入管１３を延ばし、ベース部９及び平板９１の孔部９２に通すということも可能であり、また、流入管１３を水道栓に接続した後に、流入管１３を地上に配置しベース部９の側面に設けた孔部９２に通すということも可能である。
【００３０】
このベース部９に連結される制御部８は、図１に示すように、円柱状の形状をなしており、その制御部８では、図２（Ａ）に示すように、ベース部９の孔部９２から延びる流入管１３に、流入管１３を流れる流体を流したり、止めたりする止水弁１５が設けられている。止水弁１５から延びる流入管１３にはストレーナー１６が設けられている。ストレーナー１６から延びる流入管１３には、オゾン水生成装置１７が設けられている。このオゾン水生成装置１７では、電気放電方式によりオゾンを発生させる図示しないオゾン発生器が内蔵されており、この図示しないオゾン発生器により発生させたオゾンを流入管１３を流れる水道水に溶解させることでオゾン水を生成することになる。このオゾン水生成装置１７から延びる流入管１３には、流入管１３を流れる流体を流したり、止めたりする電磁弁１８が設けられている。さらに、電磁弁１８から延びる流入管１３には、流入管１３を流れる流体を流したり、止めたりする三方弁１９が設けられており、三方弁１９からは流入管１２、流入管１３が延びている。
【００３１】
この流入管１３には三方弁２０が設けられており、三方弁２０からは二方向へ流出管１４が延びて制御部８内の流入管１３を流れる流体であるオゾン水を外部である、マーキングポスト１の外部へ送ることを可能にしている。そして、制御部８内には、図２（Ａ）に示すように、制御コントローラー２１が設けられており、電磁弁１８及び三方弁１９、２０が開いたり、閉じたりするのを制御して、制御部８内の、流入管１２、１３、流出管１４を流れる流体を流したり、止めたりしている。このように、制御部８内に内蔵される止水弁１５、電磁弁１８、及び三方弁１９は、流体である水道水、オゾン水を流したり、止めたりすることになる。
【００３２】
そして、三方弁１９から延びる（制御部８から延びる）流入管１２は、図４に示すように、制御部８に連結される噴出口支持部７に内蔵されている。図４では、マーキングポスト１の、受部２の笠部６の円柱部６１と本体部３の噴出口支持部７との連結を詳細に示すために、円柱部６１の長手方向の断面と噴出口支持部の傾斜面７１ａを有する凸状部７１ｂである円錐台状部７１とを主に示してある。具体的には、流入管１２は、噴出口支持部７の円柱部７２の内部と、この円柱部７２と連続する噴出口支持部７の傾斜面７１ａを有する凸状部７１ｂである円錐台状部７１の内部とに内蔵されている。この噴出口支持部７の形状は、制御部８と連結した端部は円柱状の形状である円柱部７２が形成されており、制御部８と連続した端部と反対側の端部は円柱部７２に連続して傾斜面７１ａを有する凸状部７１ｂである円錐台状部７１が形成されている。
【００３３】
傾斜面７１ａを有する凸状部７１ｂである円錐台状部７１は、図４に示すように、噴出口支持部７の中央部が盛り上がり凸状部７１ｂを形成し、凸状部７１ｂの周りに傾斜面７１ａが形成されている。そして、凸状部７１ｂには、図４に示すように、噴出口１２ａが設けられている。つまり、制御部８から延びる（制御部８から延びる）流入管１２の一方の端部１２ａは凸状部７１ｂ上に延びて、流入管１２を流れる流体であるオゾン水、或いは水道水を噴出するための噴出口１２ａを形成している。
【００３４】
なお、本例では、噴出口支持部７が円柱部７２と円錐台状部７１とで構成されているが、特に、円柱部７２と円錐台状部７１に限定されるものではなく、円柱部７２を、例えば三角柱状の形状にすることも可能であり、その場合には円錐台状部は、例えば三角錐状の形状とすることも可能である。このように、角柱形状と角錐形状とが連続して形成されれば、噴出口支持部７は角柱形状と角錐形状とで形成することも可能である。
【００３５】
以上の構成の本体部３は、本例では、ステンレス鋼板で形成されているが、アルミ、アルミダイカスト、アルミ鋳物、ＡＢＳ等で形成することも可能である。
【００３６】
この本体部３の噴出口支持部７と連結される受部２は、図１に示すように、一方の端部にメンテナンストップ４が設けられており、メンテナンストップ４に続いて照明機構部５が設けられ、照明機構部５内に照明灯５１が組み込まれている。そして、この照明機構部５と連続して笠部６が設けられている。笠部６は、本体部３と対向し、噴出口支持部７の噴出口１２ａから噴出された流体であるオゾン水、或いは水道水を受けられるように構成されている。
【００３７】
具体的には、受部２の、噴出口支持部７の円錐台状部（傾斜面７１ａを有する凸状部７１ｂ）７１に対向する笠部６の端部は、噴出口支持部７から噴出された流体であるオゾン水、或いは水道水を受けられるように、図４に示すように、凹部６３が形成され、その凹部６３には噴出口支持部７の傾斜面を有する凸状部７１ｂが入り込むことが可能になっている。つまり、図４に示すように、円柱形状をなしている円柱部６１と、円柱部６１と連続する、笠部６の本体部３側の端部に、円柱部６１より径の大きい円弧状部６２が設けられ、凹部６３が形成されている。
【００３８】
具体的には、本例に示す凹部６３は、図４に示すように、円錐状に窪ませた円錐状凹部６１ａと、円錐状凹部６１ａに連続する円柱状に窪ませた円柱状凹部６１ｂと、円柱状凹部６１ｂに連続する円弧状部６２とから形成されている。円錐状凹部６１ａは、図４に示すように、噴出口支持部７の円錐台状部７１の傾斜面７１ａに対向するように、円柱部６１の断面に対して傾斜した傾斜面６１ａ１が形成されている。また、円錐状凹部６１ａの頂点部６１ａ２付近は丸みを帯びるように滑らかな曲線で形成され、頂点部６１ａ２と傾斜面６１ａ１が滑らかに連続している。そして、この傾斜面６１ａ１と連続して円柱状凹部６１ｂの壁面６１ｂ１が形成されている。
【００３９】
この円柱状凹部６１ｂに連続して形成されている円弧状部６２は、図１、図４及び図６に示すように、円柱部６１に対して斜め方向へ突出（図６に示すように、θ１、θ２方向へ突出）している。円弧状部６２の円弧状内面６２ａは、図４に示すように、円柱状凹部６３の壁面６１ｂ１と連続しており、円柱部７２（図６の点線で示す円柱部６１の外径）に対して斜め方向（θ１方向）へ突出して円柱部７２より離れていく形状をなしているが、再度斜め方向（θ２方向）へ延びて円柱部７２（の外径）に近づくように、略半円弧に近い形状をなしている。
【００４０】
本例では、円柱部６１に対して斜め方向（θ１、θ２方向）に突出（延びる）部分が円弧状部６２であるが、特に本例で示す円弧状の円弧状部６２である必要はない。例えば、断面三角形の形状とすることも可能である。つまり、断面三角形の形状のように円柱部６１の外径より離れて、再度円柱部６１に近づく形状とすることが可能であるため噴出口支持部７の円柱部７２へ流体であるオゾン水、或いは水道水を流すことが可能となるからである。
【００４１】
受部２と本体部３との連結は、受部２と本体部３との間に連結用ステム１１を設け、連結用ステム１１を、受部２の笠部６と本体部３の噴出口支持部７とに固定することで行っている。具体的には、笠部６と噴出口支持部７との連結は、連結用ステム１１により、傾斜面７１ａと傾斜面６１ａ１とを連結することにより行われている。連結用ステム１１による連結は、本例では、傾斜面６１ａ１に設けられた連結用ステム１１の先端を、傾斜面７１ａに予め設けられた穴部７１ａ１に挿入して、連結用ステム１１の先端を傾斜面７１ａの穴部７１ａ１に嵌合させることで傾斜面６１ａ１と傾斜面７１ａとの連結（笠部６の円柱部６１と本体部３の噴出口支持部７との連結）を行っている。
【００４２】
このように連結用ステム１１を用いる場合、傾斜面６１ａ１に連結用ステム１１を設け、傾斜面７１ａに穴部７１ａ１に挿入するということに限定されず、逆に傾斜面６１ａ１に穴部を設け、傾斜面７１ａに連結用ステム１１を設けるということでも同様に傾斜面６１ａ１と傾斜面７１ａとの連結（笠部６の円柱部６１と本体部３の噴出口支持部７との連結）が可能である。なお、本例では、４本の連結用ステム１１を用いているが、４本に限定されることなく６本、８本等の連結用ステム１１を用いることも可能である。
【００４３】
さらに、図５に示すように、笠部６の円柱部６１と本体部３の噴出口支持部７との連結に際しては、パイプ１２内の一方の端部（噴出口）１２ａに連結用ステム１１ａを内蔵し、その連結用ステム１１ａを笠部６の円柱部６１の円錐状凹部６１ａの頂点部６１ａ２に設けた穴部６１ａ３へ挿入して（差し込んで）傾斜面６１ａ１と傾斜面７１ａとの連結（笠部６の円柱部６１と本体部３の噴出口支持部７との連結）を行うことも可能である。図５では、マーキングポスト１の、受部２の笠部６の円柱部６１と本体部３の噴出口支持部７との連結を詳細に示すために、円柱部６１の長手方向の断面と噴出口支持部の円錐台状部７１とを主に示してある。
【００４４】
この場合、連結用ステム１１ａの外径はパイプ１２の内径より小さく、連結用ステム１１ａをパイプ１２内に通しても流体であるオゾン水、或いは水道水をパイプ１２内に流すことが可能になっている。連結用ステム１１の固定は、例えば、パイプ１２の一方の端部１２ａでピンで行うことが可能である。
【００４５】
具体的には、ここで用いる連結用ステム１１ａは、一方の端部に雌ねじ部が設けられた穴部が複数設けられており、他方の端部は雄ねじ部が設けられている。この連結用ステム１１ａの他方の端部の雄ねじ部を、笠部６の円柱部６１の円錐状凹部６１ａの頂点部６１ａ２に設けた、雌ねじ部を設けた穴部６１ａ３で螺合して固定し、連結用ステム１１ａの、雌ねじ部が設けられた穴部が複数設けられた一方の端部をパイプ１２の一方の端部１２ａに挿入し、パイプ１２の一方の端部１２ａに設けた複数の孔部に、先端に雄ねじ部を設けたピン２４、２４を螺合して固定するというものである。
【００４６】
そして、傾斜面６１ａ１と傾斜面７１ａとの連結（笠部６の円柱部６１と本体部３の噴出口支持部７との連結）が行われると、円弧状部６２の端部は、噴出口支持部７の円錐台状部（傾斜面７１ａを有する凸状部７１ｂ）７１に連続する円柱部７２へ延びるとともに、円柱部７２に対して斜め方向（図６に示すθ１、θ２方向）へ突出し、円柱部７２の外周を囲むことになる。つまり、連結用ステム１１は、笠部６の円柱部６１と本体部３の噴出口支持部７との連結が行われると、笠部６の、噴出口支持部７に対向する端部の縁側部６２ａ１が噴出口支持部７の円柱部７２の外周を囲める長さに設定されている。
【００４７】
そして、受部２の、噴出口支持部７に対向する端部の反対側の端部には、照明灯５１が連結されている。具体的には、この笠部６に連結された照明機構部５では、図１に示すように、照明機構部５内に照明灯５１が設けられており、本例では、照明機構部５内に設けられた電源である電池等により手動でスイッチを「ＯＮ」、或いは「ＯＦＦ」して点灯、消灯する構成を採っている。ただし、このような構成に限定されることなく、照明機構部５内、或いは他の箇所にタイムスイッチ等を設け照明灯５１の点灯、消灯を制御することも可能である。また、照明機構部５に連結されるメンテナンストップ４は円盤形状をなしており、円柱形状の照明機構部５を覆うように組み込まれており、本例においては、メンテナンストップ４の端部に図示しない雄ねじ部を設け、照明機構部５の端部に図示しない雌ねじ部を設けて各々を螺合する（係合する）ことでメンテナンストップ４を照明機構部５に連結（固定）している。
【００４８】
それ故、照明機構部５内の照明灯５１がきれた場合等、照明機構部５のメンテナンスの必要が生じたときには、メンテナンストップ４を外して照明機構部５内のメンテナンスを行うことが可能になっている。以上のように、照明機構部５内のメンテナンスが可能なようにメンテナンストップ４を取り付けたり、外したり可能であれば、特に、メンテナンストップ４の端部に雄ねじ部を設け、照明機構部５に雌ねじ部を設ける必要はなく、他の構成を採ることも可能である。例えば、メンテナンストップ４の端部を照明機構部５の端部に挿入して嵌合させる構成でも可能である。
【００４９】
本例では、この照明機構部５と笠部６とをそれぞれ別部材で形成し連結（固定）させている。ただし、照明機構部５と笠部６と同一部材により一体に成形することも可能である。また、本例での受部２はプラスチック製の部材で形成されているが、プラスチック製の部材に限定されることなく、例えば、アルミ製の部材を用いて形成することも可能である。
【００５０】
以上説明したマーキングポスト１の他に、本例では、このマーキングポスト１の三方弁２０から二方向へ流出管１４がマーキングポスト１の外部へ延びており、この流出管１４に連結された、マーキングポスト１と同様の働きをなすマーキングポスト１０（Ｎｏ．１子機、Ｎｏ．２子機）を、公園に設置している。このマーキングポスト１０は、基本的な構成である受部２と本体部３はマーキングポスト１と同じであるが、本体部３内の制御部８内に制御コントローラー２１、オゾン水生成装置１７、及び止水栓１５がない構成である。
【００５１】
つまり、マーキングポスト１０（Ｎｏ．１子機、Ｎｏ．２子機）には、図２（Ｂ）に示すように、マーキングポスト１から延びる流出管１４が内蔵され、その流出管１４に電磁弁１８が設けられ、電磁弁１８からは、マーキングポスト１と同様に、噴出口支持部７内へ流入管１２が延びている。この電磁弁１８は、本例では、マーキングポスト１の制御部８内の制御コントローラーにより制御されることになる。
【００５２】
本例では、マーキングポスト１、１０のベース部９は、箱２３の底面２３ａに固定されている。本例では、図１に示すように、４本のボルトとナットでベース部９は箱２３の底面２３ａに固定されている。また、箱２３内には、図示しない砂が入っており、マーキングポスト１、１０（Ｎｏ．１子機、Ｎｏ．２子機）が流体であるオゾン水、或いは水道水で洗い流されたときに、洗い流した尿を含んだオゾン水、なり水道水が砂に吸収され、悪臭を放つのを抑える働きをなしている。また、箱２３内に砂を単に入れているに過ぎないので適宜砂を交換することも可能である。
【００５３】
本例で用いるマーキングポスト１、１０の大きさは、全長（高さ）が１３０ｃｍ、外径が２０ｃｍであり、ベース部９から制御部８までの長さが６０ｃｍ、噴出口支持部７からメンテナンストップ４までの長さが７０ｃｍとなっている。ただし、この大きさに限定されるものではなく、マーキングポスト１、１０が設置される公園等の状況等に応じて適宜大きさの異なるマーキングポスト１、１０を用いることは可能である。
【００５４】
つぎに、本発明であるマーキングポスト１、１０の作動状況について説明する。
【００５５】
マーキングポスト１及びマーキングポスト１から延びる流出管１４によりマーキングポスト１と連結された複数（二つ）のマーキングポスト（Ｎｏ．１子機、Ｎｏ．２子機）１０を公園内に配置する。マーキングポスト１、マーキングポスト（Ｎｏ．１子機、Ｎｏ．２子機）１０の受部２の笠部６の端部には照明灯が連結されているため、犬を飼う人が夕方等暗くなったときに犬を散歩させた場合でも犬をマーキングポストへ導き易くするとともに散歩し易い明るさを確保する。そのため、犬を飼う人に連れられた犬は、夜でもマーキングポスト１、マーキングポスト（Ｎｏ．１子機、Ｎｏ．２子機）１０へマーキング等を目的に排尿が行い易くなる。
【００５６】
そして、犬を飼う人に連れられた犬が昼夜を問わずマーキングポスト１、マーキングポスト（Ｎｏ．１子機、Ｎｏ．２子機）１０へマーキングを含めた排尿を行うと、マーキングポスト１、マーキングポスト（Ｎｏ．１子機、Ｎｏ．２子機）１０の大きさから概ね排尿がマーキングポスト１、マーキングポスト（Ｎｏ．１子機、Ｎｏ．２子機）１０の噴出口支持部７の円柱部７２に当たる。円柱部７２に当たった尿をそのまま放置するとマーキングポスト１、マーキングポスト（Ｎｏ．１子機、Ｎｏ．２子機）１０に尿が噴出口支持部７からベース部９にかけて付着したままとなる。
【００５７】
そして、例えば、犬を飼う人が犬を連れて公園を散歩し終える真夜中等の時間に水道栓を開いて水道栓に接続された流入管１３に流体である水道水を流す。図２では、流体であるオゾン水、或いは水道水の流れが示してあり、流体であるオゾン水、或いは水道水が矢印方向へ流れていくことを示している。図２に示すように、マーキングポスト１の外部から送られてくる水道水は水道水の水圧により流入管１３を流れ、マーキングポスト１内の止水弁１５に到達する。止水弁１５を開いた状態にする。止水弁１５を開いた状態にしておくことで、流入管１３を流れて止水弁１５で止められていた水道水がストレーナー１６に向かって流れる。ストレーナー１６では、ストレーナー１６を通過することにより、止水弁１５より流入管１３を流れる水道水からオゾン水を生成し易くなる。
【００５８】
図２（Ａ）に示すように、ストレーナー１６内を通過した水道水は、オゾン水生成装置１７に到達する。オゾン水生成装置１７に到達した水道水はオゾン水生成装置１７内で図示しないオゾン発生器により発生させたオゾンを流体である水道水に溶解させて、流体であるオゾン水を生成し、生成されたオゾン水は流入管１３を流れ、電磁弁１８に到達する。電磁弁１８は制御コントローラー２１で制御されて、電磁弁１８が開き、オゾン水は電磁弁１８を通過する。電磁弁１８を通過したオゾン水は三方弁１９に到達する。三方弁１９は制御コントローラー２１で制御されて、三方弁１９が開き流入管１３へオゾン水を流すとともに、流入管１２へオゾン水を流す。
【００５９】
まず、流入管１３を流れるオゾン水は三方弁２０へ到達する。 三方弁２０も制御コントローラー２１で制御されて、三方弁２０が開き、三方弁２０から二方向へ設けられた流出管１４よりオゾン水がそれぞれマーキングポスト１０（Ｎｏ．１子機）、マーキングポスト１０（Ｎｏ．２子機）へ流れる。
【００６０】
そして、流入管１２を流れるオゾン水は水圧により、流入管１２の他方の端部１２ｂから一方の端部である噴出口１２ａに向かい、流入管１２の一方の端部（噴出口）１２ａから噴出する。噴出したオゾン水は、図６に示す矢印ａ方向に沿って、円錐状凹部６１ａの頂点部６１ａ２に向かう。そして、オゾン水は、円錐状凹部６１ａの頂点部６１ａ２に衝突し、オゾン水の一部は、矢印ｂ方向に沿って、円錐状凹部６１ａの傾斜面６１ａ１を流れる。矢印ｂ方向に沿って流れるオゾン水の一部は、円柱状凹部６１ｂの壁面６１ｂ１に到達する。
【００６１】
そして、壁面６１ｂ１に到達したオゾン水は、矢印ｃ方向に沿って、鉛直方向へ流れる。矢印ｃ方向に沿って鉛直方向に流れたオゾン水は、矢印ｄ方向に沿って、円弧状部６２の円弧状内面６２ａを流れる。つまり、オゾン水は矢印ｄ方向に沿って斜め方向（θ１方向）へ流れ、円弧状部６２の中央付近を通過した辺りから矢印ｄ方向に沿って斜め方向（θ２方向）へ流れる。斜め方向（θ２方向）を流れるオゾン水は、円弧状部６２の縁側部６２ａ１を流れ出てもそのまま斜め方向（θ２方向）へ流れ、噴出口支持部７の円柱部７２に衝突し、噴出口支持部７の円柱部７２を流れ、矢印ｈ方向に沿ってベース部９方向へ流れる。
【００６２】
また、矢印ｃ方向に沿って鉛直方向に流れたオゾン水の一部は、壁面６１ｂ１の端部より矢印ｅ方向に沿って、鉛直方向へ落下する。その際、円錐台状部７１の傾斜面７１ａ上に落下した場合には、矢印ｇ方向に沿って、傾斜面７１ａを流れる。さらに、パイプ１２の先端１２ａより噴出したオゾン水の一部は、矢印ａ方向へ噴出しても、円錐状凹部６１ａの頂点部６１ａ２に到達せずに、矢印ｆ方向に沿って、円錐台状部７１の傾斜面７１ａ上に落下する。傾斜面７１ａに落下したオゾン水は、矢印ｇ方向に沿って、傾斜面７１ａを流れる。傾斜面７１ａを流れ出たオゾン水は、円柱形状の噴出口支持部７の側面を、矢印ｈ方向に沿って流れる。
【００６３】
以上のようにして、流入管１２の噴出口１２ａより噴出したオゾン水は、噴出口支持部７の側面である円柱部７２を流れ、円柱部７２からベース部９を洗い流し、洗い流したオゾン水はマーキングポスト１を設けた箱２３内の砂内へ流れ込む。そして、円柱部７２（噴出口支持部７）からベース部９をオゾン水で洗い流すことでオゾン水特有の効果である除菌作用がマーキングポスト１に働く。
【００６４】
また、流出管１４、１４よりマーキングポスト１０（Ｎｏ．１子機）、マーキングポスト１０（Ｎｏ．２子機）へ流れるオゾン水は水圧により、図２（Ｂ）に示すように、マーキングポスト１０（Ｎｏ．１子機）、マーキングポスト１０（Ｎｏ．２子機）内の流入管１４によりマーキングポスト１０（Ｎｏ．１子機）、マーキングポスト１０（Ｎｏ．２子機）の電磁弁１８に到達する。電磁弁１８は、マーキングポスト１の制御コントローラー２１に制御されて、電磁弁１８が開き、オゾン水は電磁弁１８を通過し、流入管１２へオゾン水が流れる。そして、マーキングポスト１と同様に、オゾン水は水圧によりパイプ１２の一方の端部（噴出口）１２ａより噴出する。噴出したオゾン水は、マーキングポスト１の場合と同様に流れる。
【００６５】
つまり、オゾン水は、図６に示す矢印ａ方向に向かい、円錐状凹部６１ａの頂点部６１ａ２から矢印ｂ方向に沿って、円錐状凹部６１ａの傾斜面６１ａ１を流れ、円柱状凹部６１ｂの壁面６１ｂ１に到達する。そして、オゾン水は、鉛直方向へ流れ、矢印ｄ方向に沿って、円弧状部６２の円弧状内面６２ａを流れる。つまり、図６に示すように、オゾン水は斜め方向（θ１方向）へ流れ、円弧状部６２の中央付近を通過した辺りから斜め方向（θ２方向）へ流れ、円弧状部６２の縁側部６２ａ１を流れ出て、噴出口支持部７の円柱部７２に衝突し、噴出口支持部７の円柱部７２を流れ、矢印ｈ方向に沿ってベース部９方向へ流れる。
【００６６】
また、矢印ｃ方向に沿って鉛直方向に流れたオゾン水の一部は、壁面６１ｂ１の端部より矢印ｅ方向に沿って、鉛直方向へ落下し、円錐台状部７１の傾斜面７１ａ上に落下した場合には、矢印ｇ方向に沿って、傾斜面７１ａを流れる。さらに、パイプ１２の先端１２ａより噴出したオゾン水の一部は、円錐状凹部６１ａの頂点部６１ａ２に到達せずに、矢印ｆ方向に沿って、円錐台状部７１の傾斜面７１ａ上に落下し、矢印ｇ方向に沿って、傾斜面７１ａを流れる。傾斜面７１ａを流れ出たオゾン水は、円柱形状の噴出口支持部７の側面を、矢印ｈ方向に沿って流れる。
【００６７】
このように、オゾン水が噴出口支持部７の側面（円柱部７２からベース部９）を流れることで、円柱部７２からベース部９を洗い流し、洗い流したオゾン水はマーキングポスト１０（Ｎｏ．１子機、Ｎｏ．２子機）を設けた箱２３内の砂内へ流れ込む。そして、円柱部７２からベース部９をオゾン水で洗い流すことでオゾン水特有の効果である除菌作用がマーキングポスト１０（Ｎｏ．１子機、Ｎｏ．２子機）に働く。
【００６８】
そして、マーキングポスト１、マーキングポスト１０（Ｎｏ．１子機、Ｎｏ．２子機）の動作を停止させる。具体的には、制御コントローラー２１により電磁弁１８を閉じることで、流入管１３から送られてきた流体であるオゾン水を三方弁１９へ送ることを停止する。さらに、三方弁１９が、制御コントローラー２１の制御により閉じることで、流入管１３より流れる流体であるオゾン水を流入管１２へ送ることも流出管１４へ送ることも停止する。
【００６９】
（例２）
以上ではオゾン水を用いてマーキングポスト１、マーキングポスト１０（Ｎｏ．１子機、Ｎｏ．２子機）を洗い流し除菌を行う場合を示したが、マーキングポスト１、マーキングポスト１０（Ｎｏ．１子機、Ｎｏ．２子機）を洗い流す場合には、オゾン水だけではなく水道水を用いることも可能である。以下では水道水を用いるマーキングポスト２０について説明する。
【００７０】
マーキングポスト２０は、基本的にマーキングポスト１と同じ構成であるが、制御部８内にはマーキングポスト１とは異なり、図２（Ｃ）に示すように、止水弁１５と電磁弁１８が設けられている。そして、制御部８内の止水弁１５は、マーキングポスト１の止水弁１５と同じように、マーキングポスト２０内に水道水が流れ込むようにマーキングポスト２０の外部から延びる流入管１３に設けられている。本例では、その流入管１３に直接水道水を供給する水道栓と連結することになる。
【００７１】
また、止水弁１５から延びる流入管１３には電磁弁１８が設けられている。本例では、電磁弁１８の制御は、図２（Ｃ）に示すように、タイムスイッチ２２で行うことになり、タイムスイッチ２２の制御により電磁弁１８は開くようになっている。この電磁弁１８からは、マーキングポスト１と同様に、流入管１２が延びており流入管１３より流れる流体である水道水が流入管１２へ流れることになる。さらに、マーキングポスト２０の、受部２の笠部６と本体部３の噴出口支持部７の形状、及び受部２の笠部６の円柱部６１と本体部３の噴出口支持部７との連結は、例１及び例２と同じである。
【００７２】
つぎに、本発明であるマーキングポスト２０の作動状況について説明する。
【００７３】
マーキングポスト２０の外部から送られてくる水道水は、水道水の水圧により流入管１３を流れ、マーキングポスト２０内の止水弁１５に到達する（図２（Ｃ）参照）。止水弁１５は開かれているため、水道水は止水弁１５を通過して流入管１３により電磁弁１８に到達する。電磁弁１８はタイムスイッチ２２で制御されており、電磁弁１８が開くと、水道水は電磁弁１８を通過して流入管１２内を流れる。流入管１２内を流れた水道水は、パイプ１２の一方の端部（噴出口）１２ａまで流れ、水圧により流入管１２の一方の端部（噴出口）１２ａより噴出する。
【００７４】
噴出した水道水は、マーキングポスト１、マーキングポスト１０（Ｎｏ．１子機、Ｎｏ．２子機）の場合と同様に流れる。つまり、水道水は、図６に示す矢印ａ方向に向かい、円錐状凹部６１ａの頂点部６１ａ２から矢印ｂ方向に沿って、円錐状凹部６１ａの傾斜面６１ａ１を流れ、円柱状凹部６１ｂの壁面６１ｂ１に到達する。そして、水道水は、鉛直方向へ流れ、矢印ｄ方向に沿って、円弧状部６２の円弧状内面６２ａを流れる。つまり、図６に示すように、水道水は斜め方向（θ１方向）へ流れた後、斜め方向（θ２方向）へ流れ、円弧状部６２の縁側部６２ａ１を流れ出て、噴出口支持部７の円柱部７２に衝突し、噴出口支持部７の円柱部７２を流れ、矢印ｈ方向に沿ってベース部９方向へ流れる。
【００７５】
また、矢印ｃ方向に沿って鉛直方向に流れた水道水の一部は、壁面６１ｂ１の端部より矢印ｅ方向に沿って、鉛直方向へ落下し、円錐台状部７１の傾斜面７１ａ上に落下した場合には、矢印ｇ方向に沿って、傾斜面７１ａを流れる。さらに、パイプ１２の先端１２ａより噴出した水道水の一部は、円錐状凹部６１ａの頂点部６１ａ２に到達せずに、矢印ｆ方向に沿って、円錐台状部７１の傾斜面７１ａ上に落下し、矢印ｇ方向に沿って、傾斜面７１ａを流れる。傾斜面７１ａを流れ出た水道水は、噴出口支持部７の側面（円柱部７２からベース部９）を、矢印ｈ方向に沿って流れる。
【００７６】
このように、水道水が噴出口支持部７の側面である円柱部７２を流れ、円柱部７２からベース部９を洗い流し、洗い流した水道水はマーキングポスト２０を設けた箱２３内の砂内へ流れ込む。そして、円柱部７２からベース部９を水道水で洗い流すことでマーキングポスト２０に付着していた尿が洗い流される。
【００７７】
そして、マーキングポスト２０の動作を停止させる。具体的には、タイムスイッチ２２により電磁弁１８を閉じることで、流入管１３から送られてきた流体である水道水を流入管１２へ送ることを停止する。
【００７８】
（例３）
例２では、水道水を用いて一つのマーキングポスト２０のみを洗い流す場合を示したが、例１と同様に、複数のマーキングポスト１０（Ｎｏ．１子機、Ｎｏ．２子機）等を洗い流すことも可能である。その場合には、例１と同様に、親機であるマーキングポスト３０と子機であるマーキングポスト１０（Ｎｏ．１子機、Ｎｏ．２子機）とを連結し、一つのマーキングポスト３０だけではなく、マーキングポスト１０（Ｎｏ．１子機、Ｎｏ．２子機）を洗い流すことになる。以下では水道水を用いるマーキングポスト１０（Ｎｏ．１子機、Ｎｏ．２子機）に連結されたマーキングポスト３０について説明する。
【００７９】
マーキングポスト３０は、基本的にマーキングポスト１と同じ構成であるが、制御部８内は、マーキングポスト１とは異なり、図３に示すように、止水弁１５、電磁弁１８及び三方弁１９が設けられている。そして、制御部８内の止水弁１５は、マーキングポスト１の止水弁１５と同じように、マーキングポスト３０内に水道水が流れ込むようにマーキングポスト３０の外部から延びる流入管１３に設けられている。本例では、その流入管１３に直接水道水を供給する水道栓と連結することになる。
【００８０】
また、止水弁１５から延びる流入管１３には電磁弁１８が設けられている。さらに、電磁弁１８から延びる流入管１３には、流入管１３を流れる流体を流したり、止めたりする三方弁１９が設けられており、三方弁１９からは流入管１２、流入管１３が延びている。この流入管１３には三方弁２０が設けられており、三方弁２０からは二方向へ流出管１４が延びて制御部８内の流入管１３を流れる流体である水道水を外部である、マーキングポスト３０の外部へ送ることを可能にしている。そして、制御部８内には、図３に示すように、例１と同様に、制御コントローラー２１が設けられており、電磁弁１８及び三方弁１９、２０が開いたり、閉じたりするのを制御して、制御部８内の、流入管１２、１３、流出管１４を流れる流体を流したり、止めたりしている。
【００８１】
そして、受部２の笠部６と本体部３の噴出口支持部７の形状、及び受部２の笠部６の円柱部６１と本体部３の噴出口支持部７との連結は、例１及び例２と同じである。また、マーキングポスト３０の三方弁２０から二方向へ流出管１４、１４がマーキングポスト３０の外部へ延びており、この流出管１４に連結された、マーキングポスト３０と同様の働きをなすマーキングポスト１０（Ｎｏ．１子機、Ｎｏ．２子機）を、公園に設置している。このマーキングポスト１０は、例１と同様に、本体部３内の制御部８内に制御コントローラー２１、オゾン水生成装置１７、及び止水栓１５がない構成である。
【００８２】
つまり、マーキングポスト１０（Ｎｏ．１子機、Ｎｏ．２子機）には、図２（Ｂ）と同様に、図３（Ｂ）に示すように、マーキングポスト３０から延びる流出管１４が内蔵され、その流出管１４に電磁弁１８が設けられ、電磁弁１８からは、マーキングポスト３０と同様に、噴出口支持部７内へ流入管１２が延びている。この電磁弁１８は、本例では、マーキングポスト３０の制御部８内の制御コントローラー２１により制御されることになる。
【００８３】
つぎに、本発明であるマーキングポスト３０と、マーキングポスト１０（Ｎｏ．１子機、Ｎｏ．２子機）の作動状況について説明する。
【００８４】
マーキングポスト３０の外部から送られてくる水道水は、水道水の水圧により流入管１３を流れ、マーキングポスト３０内の止水弁１５に到達する（図３（Ａ）参照）。止水弁１５は開かれているため、水道水は止水弁１５を通過して流入管１３により電磁弁１８に到達する。電磁弁１８は制御コントローラ２１で制御されて、電磁弁１８が開き、水道水は電磁弁１８を通過する。電磁弁１８を通過した水道水は三方弁１９に到達する。三方弁１９は制御コントローラー２１で制御されて、三方弁１９が開き流入管１３へ水道水を流すとともに、流入管１２へ水道水を流す。
【００８５】
まず、流入管１３を流れる水道水は三方弁２０へ到達する。 三方弁２０も制御コントローラー２１で制御されて、三方弁２０が開き、三方弁２０から二方向へ設けられた流出管１４より水道水がそれぞれマーキングポスト１０（Ｎｏ．１子機）、マーキングポスト１０（Ｎｏ．２子機）へ流れる。マーキングポスト１０（Ｎｏ．１子機）、マーキングポスト１０（Ｎｏ．２子機）へ流れた水道水は水圧により、図３（Ｂ）に示すように、マーキングポスト１０（Ｎｏ．１子機）、マーキングポスト１０（Ｎｏ．２子機）内の流入管１３によりマーキングポスト１０（Ｎｏ．１子機）、マーキングポスト１０（Ｎｏ．２子機）の電磁弁１８に到達する。電磁弁１８は、マーキングポスト１の制御コントローラー２１に制御されて、電磁弁１８が開き、水道水は電磁弁１８を通過し、流入管１２へ流れる。そして、マーキングポスト３０及びマーキングポスト１０（Ｎｏ．１子機、Ｎｏ．２子機）では、水道水は水圧によりパイプ１２の一方の端部（噴出口）１２ａより噴出する。
【００８６】
その結果、噴出した水道水は、例１に示すマーキングポスト１、マーキングポスト１０（Ｎｏ．１子機、Ｎｏ．２子機）の場合のオゾン水の流れと同様に流れる。具体的には、水道水は、図６に示す矢印ａ方向に向かい、円錐状凹部６１ａの頂点部６１ａ２から矢印ｂ方向に沿って、円錐状凹部６１ａの傾斜面６１ａ１を流れ、円柱状凹部６１ｂの壁面６１ｂ１に到達する。そして、水道水は、鉛直方向へ流れ、矢印ｄ方向に沿って、円弧状部６２の円弧状内面６２ａを流れる。つまり、図６に示すように、水道水は斜め方向（θ１方向）へ流れた後、斜め方向（θ２方向）へ流れ、円弧状部６２の縁側部６２ａ１を流れ出て、噴出口支持部７の円柱部７２に衝突し、噴出口支持部７の円柱部７２を流れ、矢印ｈ方向に沿ってベース部９方向へ流れる。
【００８７】
また、矢印ｃ方向に沿って鉛直方向に流れた水道水の一部は、壁面６１ｂ１の端部より矢印ｅ方向に沿って、鉛直方向へ落下し、円錐台状部７１の傾斜面７１ａ上に落下した場合には、矢印ｇ方向に沿って、傾斜面７１ａを流れる。さらに、パイプ１２の先端１２ａより噴出した水道水の一部は、円錐状凹部６１ａの頂点部６１ａ２に到達せずに、矢印ｆ方向に沿って、円錐台状部７１の傾斜面７１ａ上に落下し、矢印ｇ方向に沿って、傾斜面７１ａを流れる。傾斜面７１ａを流れ出た水道水は、噴出口支持部７の側面（円柱部７２からベース部９）を、矢印ｈ方向に沿って流れる。
【００８８】
このように、水道水が噴出口支持部７の側面である円柱部７２を流れ、円柱部７２からベース部９を洗い流し、洗い流した水道水はマーキングポスト３０、マーキングポスト１０（Ｎｏ．１子機、Ｎｏ．２子機）を設けた箱２３内の砂内へ流れ込む。そして、円柱部７２からベース部９を水道水で洗い流すことでマーキングポスト３０、マーキングポスト１０（Ｎｏ．１子機、Ｎｏ．２子機）に付着していた尿が洗い流される。
【００８９】
そして、マーキングポスト３０の動作を停止させる。具体的には、制御コントローラー２１により電磁弁１８を閉じることで、流入管１３から送られてきた流体である水道水を三方弁２０へ送ることを停止する。また、三方弁１９が、制御コントローラー２１の制御により閉じることで、流入管１３より流れる流体である水道水を流入管１２へ送ることも流出管１４へ送ることも停止する。
【００９０】
なお、例１から例３では、制御部８と噴出口支持部７とを設け、制御部８と噴出口支持部７とを連結する構成を採っているが、制御部８と噴出口支持部７とを一体にして構成することも可能である。具体的には、ベース部９と連結され、流体を流すための流入管１３と、流入管１３を流れる流体を流したり、止めたりするための止水弁１５等の弁と、を内蔵する制御部８と、制御部８より延びる流入管１３を有し、流入管１３を流れる流体を噴出させるための噴出口１２ａを有する噴出口支持部７と、一体化する。そのために、制御部８内に流入管１２を内蔵し、流入管１２を支持する構成を採ることも可能であるし、噴出口支持部７内に流入管１３、電磁弁１８等を内蔵する構成を採ることも可能である。
【図面の簡単な説明】
【００９１】
【図１】本発明であるマーキングポストを正面から示す斜視図である。
【図２】マーキングポストの制御部の構成と制御部内の流体（オゾン水、或いは水道水）の流れと制御部からの流体（オゾン水、或いは水道水）の流れを示す説明図である。（Ａ）は、マーキングポストの親機の、制御部の構成と制御部内の流体（オゾン水）の流れと、マーキングポストの親機からマーキングポストの子機への流体（オゾン水）の流れを示す説明図である。（Ｂ）は、マーキングポストの子機の、制御部の構成と制御部内の流体（オゾン水）の流れを示す説明図である。（Ｃ）は、マーキングポストの、制御部の構成と制御部内の流体（水道水）の流れを示す説明図である。
【図３】マーキングポストの制御部の構成と制御部内の流体の一つであるは水道水の流れと制御部からの流体の一つであるは水道水の流れを示す説明図である。（Ａ）は、マーキングポストの親機の、制御部の構成と制御部内の流体の一つである水道水の流れと、マーキングポストの親機からマーキングポストの子機への流体の一つである水道水の流れを示す説明図である。（Ｂ）は、マーキングポストの子機の、制御部の構成と制御部内の流体の一つである水道水の流れを示す説明図である。
【図４】笠部の円柱部と本体部の噴出口支持部との連結を示す説明図である。
【図５】笠部の円柱部と本体部の噴出口支持部との他の形態の連結を示す説明図である。
【図６】流体（水道水、或いはオゾン水）の流れを示す説明図である。
【図７】従来（特開２００６−８１５２８）のペット用トイレの斜視図である。
【符号の説明】
【００９２】
１、１０、２０、３０…マーキングポスト
２…照明部、３…本体部、４…メンテナンストップ、５…照明機構部
６…笠部、６１…円柱部、６１ａ…円錐状凹部、６１ａ１…傾斜面、６１ａ２…頂点部、６１ｂ…円柱状凹部、６１ｂ１…壁面
６２…円弧状部、６２ａ…円弧状内面、６２ａ１…縁側部
６３…凹部
７…噴出口支持部、７１…円錐台状部、７２…円柱部、７１ａ…傾斜面、７１ａ１…穴部８…制御部、９…ベース、１１、１１ａ…連結用ステム、１２、１３…流入管、１２ａ…噴出口、１４…流出管、１５…止水弁、１６…ストレーナー、１７…オゾン水生成装置、１８…電磁弁、１９…三方弁、２１…制御コントローラー、２２…タイムスイッチ、２３…箱、２４…ピン  
【図１】
2008212095.tif 000003
【図２】
2008212095.tif 000004
【図３】
2008212095.tif 000005
【図４】
2008212095.tif 000006
【図５】
2008212095.tif 000007
【図６】
2008212095.tif 000008
【図７】
2008212095.tif 000009